(57)【特許請求の範囲】
【請求項１】
基台部と、この基台部の両側部に互いに平行に対峙して突設された一対の係止凸部とからなる全体略凹字状を呈し、上記基台部の側面に上記係止凸部間に位置して四角錐形状の係合凸部が突設されてなる台座部材と、
一方側面に、半円形凹部からなるリング孔半体と、このリング孔半体に連続するキー凹部半体とが形成されるとともに、このキー凹部の底面に半割り四角錐形状の係合凸部半体を突設してなる一対のリング半体部材が組み合わされてなり、上記リング孔半体部及びキー凹部半体とが共同して指等の嵌合体が嵌合されるリング孔及び上記台座部材に対する組み付け部となるキー凹部とを構成するとともに、上記キー凹部内において上記係合凸部半体がその頂点部を突き合わされるリング基体部材と、
基部と、この基部の両側部に互いに平行に対峙して突設された一対の凸壁部とからなる全体略凹字状を呈し、上記基部の下端部に上記リング孔と同一曲率を以って半円形のリング孔半体が切欠き形成されるとともに上記凸壁部間に位置して半割り四角錐形状の係合凸部半体が突設されてなる一対の保持筒半体部材が組み合わされてなり、上記凸壁部を突き合わせて内部に嵌合空間部を構成する全体筒状を呈するとともに嵌合空間部内において上記係合凸部半体がその頂点部を突き合わされる保持筒部材とを備え、
上記台座部材に対して上記リング基体部材を組み付けた後に、この組立体が上記保持筒部材の嵌合空間部内に組み付けられることによって、上記リング基体部材の係合凸部半体が上記台座部材の係合凸部の対向側面部の上方に構成される空間部にそれぞれ組み合わされるとともに、上記保持筒部材がその両側面を上記台座部材の凸壁部によってそれぞれ保持されかつ上記係合凸部半体が上記台座部材の係合凸部の対向側面部の上方に構成される空間部にそれぞれ組み合わされ、
この組付け状態が、上記リング孔に嵌合された上記嵌合体によって保持されることを特徴とする組合せ型リング。
【請求項２】
上記台座部材には、上記リング半体部材の突合せ端部に構成された間隙を介して上記リング基体部材の上面に露呈される装飾体が取り付けられることを特徴とする請求項１に記載の組合せ型リング。
【請求項３】
上記リング孔には、嵌合保持部材が嵌合されることによって、未使用状態等においも上記組付け状態が保持されることを特徴とする請求項１又は請求項２に記載の組合せ型リング。
【発明の詳細な説明】
【０００１】
【発明の属する技術分野】
本発明は、複数個の部材が寄木細工的に組み合わされて構成される組合せ型リングに関する。
【０００２】
【従来の技術】
リングは、もっぱらスティタス性や財産性等を目的とした貴金属・宝飾製品としてのジャンルと、若年層を中心としてよりファッション性やオリジナリティ性が求められるファッション製品としてのジャンルとに大別される。また、リングは、いずれのジャンルにおいても装飾品として用いられるものであることから、デザイン性も極めて重要である。
【０００３】
リングは、一般に指がはめ込まれる基台リングと、この基台リングに取り付けられた貴金属や宝飾品等を基本形態として、それぞれを適宜の材質によって形成するとともにデザイン処理が施されて構成される。また、リングにおいては、例えば複数個のリング部材を組み合わせて基台リングを構成することで、組合せの妙によるデザイン性を図った組合せリングも提供されている。組合せリングとしては、材質等を異にする複数個のリング部材を積層状態で一体化したものや、例えば鎖状につなぎ合わされた３個のリング体からなるいわゆる３連リング等が提供されている。３連リングは、各リング体がシンプルではあるが、指にはめ合わせた際のそれぞれの重り合いによって微妙な形態が創生される。
【０００４】
【発明が解決しようとする課題】
ところで、リングは、若年層を中心としてさらにファッション性やオリジナリティ或いは奇抜性等が求められており、より多様化が図られる組合せリングの人気が極めて高い。従来の組合せリングも、一般のリングと同様に、複数個のリング部材が互いに分離不能な状態で顧客に提供されており、使用者が単に指にはめ合わせて使用する基本態様については共通している。
【０００５】
例えば特開平９−１３５７１３号「リング状装身具」公報には、切れ目が設けられたリング部材を組み合わせてなる組合せリングが開示されている。この組合せリングによれば、切れ目を介して各リング部材が相互に着脱自在であることから、リング部材を組み替えることによって多様な組合せを自由に楽しむことが可能となる。
【０００６】
しかしながら、かかる組合せリングも、リング部材の入れ替えを行うものの、この入替え操作に特徴があるものではない。リングにおいては、単に指にはめて使用するばかりでなく、例えば組立操作にもオリジナリティを持たせるようにすることでより、奇抜性や意外性或いはこれによるファッション性の向上も図られたようなものも望まれている。
【０００７】
したがって、本発明は、複数個の構成部材をパズル的、寄木細工的に組み合わせて完成されることで、指にはめて装飾品として愛用される機能ばかりでなく、組立の意外性を享受させる機能も奏する独創性が高い組合せ型リングを提供することを目的に提案されたものである。
【０００８】
【課題を解決するための手段】
上述した目的を達成する本発明にかかる組合せ型リングは、独立部材からなる台座部材と、リング基体部材と、保持筒部材とが互いに組み付けられて構成される。台座部材は、基台部と、この基台部の両側部に互いに平行に対峙して突設された一対の係止凸部とからなる全体略凹字状を呈し、基台部の側面に係止凸部間に位置して四角錐形状の係合凸部が突設されてなる。
【０００９】
リング基体部材は、一対のリング半体部材を、相対する側面を突き合わせて組み合すことによってを構成される。リング半体部材は、一方側面に、半円形凹部からなるリング孔半体と、このリング孔半体に連続するキー凹部半体とが形成されるとともに、このキー凹部の底面に半割り四角錐形状の係合凸部半体が突設されてなる。リング基体部材には、リング孔半体部が共同して指等の嵌合体を嵌合するリング孔が構成されるとともに、キー凹部半体が共同して台座部材に対する組み付け部となるキー凹部が構成される。リング基体部材は、キー凹部内において係合凸部半体がその頂点部を突き合わされてなる。
【００１０】
保持筒部材は、一対の保持筒半体部材を突き合わせて構成される。保持筒半体部材は、両側部に凸壁部が一体に突設されるとともに、半割り四角錐形状の係合凸部半体が突設されてなる。保持筒部材は、相対する凸壁部を突き合わされて内部に嵌合空間部を有する全体筒状に構成され、この嵌合空間部内において、各係合凸部半体がその頂点部を突き合わされてなる。
【００１１】
組合せ型リングにおいては、台座部材に対してリング基体部材を組み付けた後に、この組立体が保持筒部材の嵌合空間部内に組み付けられてなる。組合せ型リングにおいては、リング基体部材の各係合凸部半体が、台座部材の係合凸部の対向側面部の上方に構成される空間部にそれぞれ組み合わされるとともに、保持筒部材がその両側面を台座部材の凸壁部によって保持されかつ係合凸部半体が台座部材の係合凸部の対向側面部の上方に構成される空間部にそれぞれ組み合わされる。
【００１２】
組合せ型リングにおいては、リング孔に嵌合体を嵌合することによって台座部材とリング基体部材との組立体が保持筒部材からの脱落を阻止され、上述した構成各部材の組付け状態が保持される。組合せ型リングは、構成各部材を寄木細工のように巧妙に組み合わせて完成されることで、独創的であるとともに組合せの意外性かつファッション性が極めて高く、顧客に対する購買意欲を大いに喚起させる装飾リングを構成する。
【００１３】
【発明の実施の形態】
以下、本発明の実施の形態について、図面を参照して詳細に説明する。実施の形態として示す組合せ型リング１は、図１乃至図３に示すように、台座部材２と、リング基体部材３と、保持筒部材４と、宝石５を取り付けた宝飾台６とから構成される。組合せ型リング１は、独立部材として構成されたこれら各部材が、詳細を後述するように寄木細工のようにして組み立てられるとともに、図１に示すように指７にはめられることによってその組立状態が保持される。
【００１４】
台座部材２は、例えば金、銀、白金等の貴金属やそれらの合金或いは適宜の金属材料等を素材とし、図２及び図４に示すように、矩形板状の基台部８と、この基台部８の一方主面８ａの両側部に位置し間隔ｄを以って互いに平行に対峙して突設された一対の係止凸部９（９ａ、９ｂ）とからなる全体略チャンネル状を呈している。台座部材２は、詳細を省略するが、基台部８及び係止凸部９の外周縁に面取りが施されている。
【００１５】
台座部材２には、係止凸部９間に位置する主面８ａに、係合凸部１０が一体に突設されている。係合凸部１０は、頂点の高さが係止凸部９の高さとほぼ同等とされた正四角錐形を呈している。係合凸部１０は、相対する第１の傾斜面１０ａと第２の傾斜面１０ｂとが係止凸部９にそれぞれ対向するとともに、これら傾斜面に隣り合う第３の傾斜面１０ｃと第４の傾斜面１０ｄとが基台部８の側縁と対向する。
【００１６】
台座部材２には、他方の主面８ｂの中央部に位置して宝飾台６が取り付けられる。宝飾台６は、図２に示すように、基台部１１と、支柱部１２と、台座部１３とからなる。宝飾台６は、基台部１１を主面８ｂ上に接合固定することによって台座部材２に取り付けられる。宝飾台６には、台座部１３上に宝石５が取り付けられる。なお、台座部材２は、図示しないが台座部１３に適宜の装飾細工が施されている。また、台座部材２は、特に台座部１３に宝石５を取り付けないで構成してもよい。
【００１７】
リング基体部材３は、左右対称形に形成された一対のリング半体部材１４（１４ａ、１４ｂ）が、その相対する側面を突き合わせるようにして組み合わされてなる。リング基体部材３は、リング半体部材１４の突合せ部位に、図１に示すように、指７をはめ込むリング孔１５と、詳細を後述するようにして上述した台座部材２に対する組付部を構成するキー凹部１６とが構成されてなる。リング基体部材３には、詳細を省略するが外周縁に面取りが施されている。リング基体部材３には、上面や外周面に適宜のデザイン処理を施すようにしてもよい。
【００１８】
リング半体部材１４も、例えば金、銀、白金等の貴金属やそれらの合金或いは適宜の金属材料等を素材として形成され、図２及び図５に示すように、矩形ブロック体を基本形とした基部１７と、この基部１７の下方部に一体に形成された略半円弧状のリング部１８とからなる。リング半体部材１４は、基部１７の厚みが、台座部材２の係止凸部９間の間隔ｄよりも小幅とされてなる。リング半体部材１４には、突合せ面となる基部１７の一方側面部に、組合せ状態において上述したキー凹部１６を構成するキー凹部半体１９（１９ａ、１９ｂ）が凹設されている。リング半体部材１４には、キー凹部半体１９に連続して、リング部１８に組合せ状態において上述したリング孔１５を構成するリング孔半体２０（２０ａ、２０ｂ）が凹設されている。
【００１９】
リング半体部材１４は、キー凹部半体１８の深さｐが台座部材２の基台部８の幅ｄよりもやや浅くされ、後述する組合せ状態において図３（ａ）、図５（ａ）に示すように相対する端部の間に台座部材２の支柱部１２を貫通させるに足る幅方向のスリット２１を構成する。リング半体部材１４には、キー凹部半体１８の底面に係合凸部半体２２（２２ａ、２２ｂ）が一体に突設されている。
【００２０】
係合凸部半体２２は、リング孔半体１９の上端側の中央部を頂点位置として、上述した台座部材２の係合凸部１０を半割りした半四角錐形状を呈している。係合凸部半体２２は、底面側の半割り面２３ｄがリング孔半体２０に連続する円弧面を以って形成されている。係合凸部半体２２は、リング半体部材１４を突き合わせた状態において、その頂点部がキー凹部１６において突き合わされる。
【００２１】
リング半体部材１４は、基部１７の上面部と係合凸部半体２２との間に、キー凹部半体１９が構成される。係合凸部半体２２は、後述するようにリング基体部材３を台座部材２に組み付けた状態において、中央の第１の傾斜面２３ａが、係合凸部１０の第３の傾斜面１０ｃ或いは第４の傾斜面１０ｄと係合する。なお、係合凸部半体２２は、両側の第２の傾斜面２３ｂ及び第３の傾斜面２３ｃが、後述するように係合凸部１０と共同して保持筒部材４と係合する。
【００２２】
保持筒部材４も、例えば金、銀、白金等の貴金属やそれらの合金或いは適宜の金属材料等を素材として左右対称形に形成された一対の保持筒半体部材２４（２４ａ、２４ｂ）を、相対する側面を突き合わせるようにして組み合わせてなる。保持筒部材４には、保持筒半体部材２４の突合せ部位に、図１に示すように、台座部材２に組み付けられたリング基体部材３を貫通させる嵌合空間部２５が構成される。保持筒部材４は、横幅が台座部材２の係止凸部９の対向間隔ｄとほぼ等しく構成されている。保持筒部材４には、詳細を省略するが外周縁に面取りが施されている。
【００２３】
保持筒半体部材２４は、図２及び図６に示すように、縦型の矩形体を基本形とした基部２６と、この基部２６の一方主面２６ａの両側部に位置して間隔ｆを以って互いに平行に対峙して突設された一対の凸壁部２７（２７ａ、２７ｂ）とからなる縦型チャンネル状を呈している。保持筒半体部材２４は、凸壁部２７が、その高さをリング半体部材１４の厚みとほぼ等しく形成されるとともに、間隔ｆがリング基体部材３の横幅よりもやや大きく設定されている。保持筒半体部材２４は、基部２６や凸壁部２７の外周縁に面取りが施されている。
【００２４】
保持筒半体部材２４には、下端縁からリング基体部材３のリング孔１５と同一曲率を以って、半円弧状のリング孔半体２８が形成されている。保持筒半体部材２４には、図６に示すように、凸壁部２７間に位置する主面２６ａに、係合凸部半体２９（２９ａ、２９ｂ）が一体に突設されている。係合凸部半体２９は、リング孔半体２８の上端側の中央部を頂点位置として、上述した台座部材２の係合凸部１０を半割りした半四角錐形状を呈している。
【００２５】
係合凸部半体２９は、保持筒半体部材２４を突き合わせた状態において、その頂点部が嵌合空間部２５内において突き合わされる。係合凸部半体２９は、後述するように台座部材２とリング基体部材３との組立体３１が嵌合空間部２５内に嵌合された状態において、中央の第１の傾斜面３０ａが、台座部材２の係合凸部１０の第１の傾斜面１０ａ或いは第２の傾斜面１０ｂと係合する。また、係合凸部半体２９は、この状態において両側の第２の傾斜面３０ｂ及び第３の傾斜面３０ｃが、リング半体部材１４の係合凸部半体２２の第２の傾斜面２３ｂ或いは第３の傾斜面２３ｃと係合する。
【００２６】
上述した構成部材を備える組合せ型リング１は、台座部材２に対してリング基体部材３を構成する一対のリング半体部材１４ａ、１４ｂがそれぞれ組み付けられ、この組立体３１が保持筒部材４に組み付けられた後に指７にはめられる。組合せ型リング１は、指７がリング孔１５にはめられた状態において、この指７によって構成各部材の組み立て状態が保持される。
【００２７】
組合せ型リング１について、以下図２及び図７を参照して、各部材の組立方法について説明する。台座部材２には、図７（ａ）に示すように、基台部８の両側からリング基体部材３を構成するリング半体部材１４ａ、１４ｂがそれぞれ組み付けられる。リング半体部材１４は、キー凹部半体１９が台座部材２の基台部８に嵌合されることで、同図（ｂ）に示すように各係合凸部半体２２の第１傾斜面２３ａが係合凸部１０の第３の傾斜面１０ｃ及び第４の傾斜面１０ｄと相対係合して組立体３１を構成する。組立体３１には、この状態において、係合凸部１０の第１の傾斜面１０ａと第２の傾斜面１０ｂとに対応してそれぞれ半三角錐形の空間部が構成される。
【００２８】
組立体３１は、リング半体部材１４の基部１７間にスリット２１を構成するとともに、リング部１８が突き合わされてリング孔半体２０によって円形のリング孔１５を構成する。なお、各係合凸部半体２２は、その半割り面２３ｄがリング孔半体２０と共同してリング孔１５の一部を構成する。組立体３１においては、台座部材２の支柱部１２がスリット２１を貫通してリング基体部材３の上面部に突出することで、宝飾台６に取り付けられた宝石５が上面に露呈されてなる。
【００２９】
組立体３１は、図７（ｃ）に示すように、突き合わされたリング半体部材１４のリング部１８側から、リング基体部材３が保持筒部材４の嵌合空間部２５内に組み合わされる。組立体３１は、台座部材２の基部８の底面８ａに各保持筒半体部材２４の端面を突き当てて、嵌合空間部２５内に組み合わされる。保持筒部材４は、上述したように凸壁部２７の端面を突き合わすことによって保持筒半体部材２４が組み合わされて内部に嵌合空間部２５を構成する。保持筒部材４には、係合凸部半体２９が形成された側から、嵌合空間部２５内に組立体３１が組み合わされる。
【００３０】
組立体３１は、嵌合空間部２５内に組み合わされることによって、台座部材２の係止凸部９と係合凸部１０の第１の傾斜面１０ａと第２の傾斜面１０ｂとの間に各保持筒半体部材２４の凸壁部２７の上端部をそれぞれ嵌合させる。組立体３１は、係止凸部９によって各保持筒半体部材２４の凸壁部２７の外側面をそれぞれ係止する。組立体３１は、この状態において、台座部材２の係止凸部９の第１の傾斜面１０ａと第２の傾斜面１０ｂとに対応して構成された半三角錐形の空間部内に、側方から各保持筒半体部材２４の係合凸部半体２９をそれぞれ相対係合させる。組立体３１は、そのリング孔１５に対して、その上側部位の両側にそれぞれ各保持筒半体部材２４のリング孔半体２８がそれぞれ対応位置する。
【００３１】
組合せ型リング１は、リング基体部材３が、図３に示すように、リング半体部材１４をそれぞれ保持筒部材４の基部２６及び凸壁部２７によって外周部を係止されることによって、台座部材２に対する組合せ状態を保持されてなる。組合せ型リング１は、保持筒部材４が、同図（ｂ）に示すように台座部材２の係止凸部９によって保持筒半体部材２４の外側面を係止されることによって、その組合せ状態が保持されてなる。
【００３２】
組合せ型リング１は、図３に示すように、台座部材２の係合凸部１０に対して、その相対する第１の傾斜面１０ａと第２の傾斜面１０ｂの上方に構成される空間部に保持筒半体部材２４の係合凸部半体２９がそれぞれ相対係合されるとともに、相対する第３の傾斜面１０ｃと第３の傾斜面１０しの上方に構成される空間部にリング半体部材１４の係合凸部半体２２がそれぞれ相対係合されてなる。したがって、組合せ型リング１は、台座部材２の係合凸部１０を中心としたその各傾斜面の周辺部において、リング半体部材１４の係合凸部半体２２と保持筒半体部材２４の係合凸部半体２９とが隣り合った状態で相対する傾斜面を係合されて組み合わされてなる。
【００３３】
組合せ型リング１は、上述したように、台座部材２と、リング基体部材３と、保持筒部材４とが、係合凸部１０に対してその外周部に構成される空間部に各係合凸部半体２２、２９が互いに係合されて組み合わされることで、あたかも寄木細工のようにして組み合わされる。組合せ型リング１は、保持筒部材４に対する組立体３１の嵌合方向を除いた上下左右方向に対してのみ分解可能とされて組み合わされる。
【００３４】
なお、組合せ型リング１は、台座部材２の係合凸部１０を正四角錐形に形成するとともに、リング基体部材３及び保持筒部材４の係合凸部半体２２、２９をそれぞれ半四角錐形に形成して組み合わせるようにしたが、かかる形状に限定されるものでは無いことは勿論である。組合せ型リング１は、各係合凸部１０と係合凸部半体２２、２９とが互いに嵌合されて台座部材２に対してリング基体部材３と保持筒部材４の組合せ状態が保持される構成であればよい。
【００３５】
組合せ型リング１においては、上述したように各リング半体部材１４が突き合わされてリング基体部材３を構成するとともに、このリング基体部材３に各リング孔半体２０が共同してリング孔１５を構成する。組合せ型リング１においては、各保持筒半体部材２４が突き合わされて保持筒部材４を構成するとともに、保持筒半体部材２４のリング孔半体２０がリング孔１５の上側部位の両側に位置してその一部を構成している。したがって、組合せ型リング１においては、リング孔１５内に指７がはめ合わされることで、図３において鎖線で示すように組立体３１に対して保持筒部材４が係止されて全体として組合せ状態が保持されるようになる。
【００３６】
上述した組合せ型リング１においては、台座部材２に対して宝石５を取り付けた宝飾台６を予め取り付けたが、かかる構成に限定されるものでは無い。組合せ型リング１は、例えば図８に示すように、リング基体部材３或いはスリット２１を介して、宝飾台６を適宜の取付機構を介して後付けで取り付けるように構成してもよい。また、組合せ型リング１は、例えば図９に示すように、台座部材２の基台部８の主面８ｂの両側表面に係合凸部３２を設けたり、リング基体部材３を構成するリング半体部材１４の基部１７の表面に係合凸部３３を設け、これら係合凸部３２、３３に係合凹部３４を嵌合することによって宝飾台６を後付けで取り付けるように構成してもよい。
【００３７】
組合せ型リング１においては、リング基体部材３を構成するリング半体部材１４が、基部１７に対してと所定の幅を有する円弧状のリング部１８を一体に形成したが、かかる構成に限定されるものでは無い。組合せ型リング１は、例えば図１０に示すように、リング部１８を線状に形成するようにしてもよい。組合せ型リング１においては、台座部材２やリング基体部材３或いは保持筒部材４が、同図に示すように、それぞれの組付部位を除く外周部位に大きな面取りを施したりデザイン処理を施すように構成してもよい。組合せ型リング１は、これらの部位を適宜のカッティング処理を施して形成してもよい。
【００３８】
また、組合せ型リング１においては、台座部材２に対して宝石５を設けた宝飾台６を支持するようにしたが、かかる構成に限定されるものでは無い。組合せ型リング１においては、例えばリング基体部材３の上面に宝石５を直接取り付けるようにしてもよい。
【００３９】
組合せ型リング１は、上述したように台座部材２と、リング基体部材３と、保持筒部材４とが組み合わされ、リング孔１５に指７をはめ合わすことによって組立状態が保持される。したがって、組合せ型リング１は、未使用状態においてバラバラに分解されることから、再組立操作が面倒な場合には、図１１に示すように嵌合保持部材３５がリング孔１５に嵌合されることによって組立状態を保持するようにしてもよい。
【００４０】
嵌合保持部材３５は、金属、木或いは合成樹脂等を素材としてリング孔１５の内径とほぼ等しい外径を有する円盤状に形成されてなる。嵌合保持部材３５は、リング孔１５内に嵌合されることによって保持筒半体部材２４のリング孔半体２８の内周部を係止することで、組立体３１に対して保持筒部材４を係止して全体の組合せ状態を保持する。
【００４１】
嵌合保持部材３５は、組合せ型リング１の店頭等におけるディスプレィ部材としての機能も奏する。すなわち、嵌合保持部材３５には、図１１及び図１２に示すように、少なくとも一方の端面３５ａに飾り模様３６が形成される。飾り模様３６は、嵌合保持部材３５の端面３５ａに彫り込み、埋め込み或いはシール等の貼着等によって形成される。飾り模様３６は、例えば図に示した仏陀の姿や、家紋、或いは適宜のキャラクタや図柄等、組合せ型リング１のデザインや顧客層にマッチングしたものが選択される。
【００４２】
組合せ型リング１は、リング孔１５に嵌合保持部材３５を嵌合した状態で、図１２に示すようにパッケージ箱３７に収納されて展示される。パッケージ箱３７には、嵌合孔３８が設けられている。嵌合孔３８は、リング基体部材３の外形寸法とほぼ等しい開口寸法と、このリング基体部材３の保持筒部材４の下端部から突出した部位の高さ寸法とほぼ等しい深さ寸法を有している。
【００４３】
組合せ型リング１は、リング孔１５内に嵌合保持部材３５を嵌合した状態で、同図（ｂ）に示すようにリング基体部材３の下方部位が嵌合孔３８内に嵌合されてパッケージ箱３７に収納される。パッケージ箱３７には、同図に示すように透明なキャップケース３９が被される。勿論、組合せ型リング１は、かかるパッケージ箱３７に収納されたディスプレィ形態に限定されるものではなく、適宜の形態によってパッケージングや店頭ディスプィが行われる。
【００４４】
組合せ型リング１は、上述したようにリング基体部材３の下方部位が嵌合孔３８内に嵌合されてパッケージ箱３７に収納されることから、図１２に示すように全体として例えば遺跡や建造物等のミニュチュアオブジェをイメージさせる。したがって、組合せ型リング１は、上述した独自のパズル的組合せ構造とともにディスプレィ状態においても極めてオリジナリティの高い装飾リングを構成する。
【００４５】
【発明の効果】
以上詳細に説明したように、本発明にかかる組合せ型リングによれば、台座部材と、一対のリング半体部材を組み合わせてなるリング基体部材と、一対の保持筒半体部材を組み合わせてなる保持筒部材とを寄木細工的に組み付けて構成されるとともに、リング孔にはめ合わされた指や嵌合保持部材等によってその組立状態が保持される。したがって、組合せ型リングによれば、指にはめて装飾品として愛用される機能ばかりでなく、構成各部材を寄木細工のように巧妙に組み合わせて完成されることで、独創的であるとともに組合せの意外性かつファッション性が極めて高い装飾リングを構成し、顧客に対する購買意欲を大いに喚起させることができる。
【図面の簡単な説明】
【図１】本発明にかかる組合せ型リングの使用状態を示す斜視図である。
【図２】同組合せ型リングの分解斜視図である。
【図３】同組合せ型リングの組立状態を示し、同図（ａ）は一部切欠き正面図、同図（ｂ）は縦断面図である。
【図４】同組合せ型リングの台座部材を示し、同図（ａ）は側面図、同図（ｂ）は底面図、同図（ｃ）は底面側からの斜視図である。
【図５】同組合せ型リングのリング基体部材を構成するリング半体部材を示し、同図（ａ）は正面図、同図（ｂ）は側面図、同図（ｃ）は斜視図である。
【図６】同組合せ型リングの保持筒部材を構成する保持筒半体部材を示し、同図（ａ）は平面図、同図（ｂ）は正面図、同図（ｃ）は斜視図である。
【図７】同組合せ型リングの組立工程の説明図である。
【図８】同組合せ型リングの他の実施の形態を示す斜視図である。
【図９】同組合せ型リングの他の実施の形態を示す斜視図である。
【図１０】同組合せ型リングの他の実施の形態を示す斜視図である。
【図１１】同組合せ型リングの未使用時における嵌合保持部材の嵌合操作の説明図である。
【図１２】同組合せ型リングのディスプレィ形態の説明図である。
【符号の説明】
１  組合せ型リング、２  台座部材、３  リング基体部材、４  保持筒部材、５  宝石、６  宝飾台、７  指、８  台座部材の基台部、９  同係止凸部、１０同係合凸部、１４  リング半体部材、１５  リング孔、１６  キー凹部、１７リング半体部材の基部、１８  リング部、１９  キー凹部半体、２０  リング孔半体、２２  係合凸部半体、２４  保持筒半体部材、２５  嵌合空間部、２６保持筒半体部材の基部、２７  同凸壁部、２９  同係合凸部半体、３１  組立体、３５  嵌合保持部材、３７  パッケージ箱
【図１】
0003759369.tif 000002
【図２】
0003759369.tif 000003
【図３】
0003759369.tif 000004
【図４】
0003759369.tif 000005
【図５】
0003759369.tif 000006
【図６】
0003759369.tif 000007
【図７】
0003759369.tif 000008
【図８】
0003759369.tif 000009
【図９】
0003759369.tif 000010
【図１０】
0003759369.tif 000011
【図１１】
0003759369.tif 000012
【図１２】
0003759369.tif 000013